(57)【要約】【課題】無線中継装置の消費電力を削減するようにした無線中継装置、無線中継方法、及び無線通信システムを提供すること。また、処理遅延の発生を抑えるようにした無線中継装置、無線中継方法、及び無線通信システムを提供すること。【解決手段】送信装置からの受信信号を受信装置に送信する無線中継装置において、前記受信信号が前記送信装置から新規に送信された信号か再送信号かを判定する判定部と、前記判定部で前記再送信号と判定されたとき、前記受信信号を増幅する増幅部とを備える。【選択図】図５
2010278957.tif 000002
【特許請求の範囲】
【請求項１】
送信装置からの受信信号を受信装置に送信する無線中継装置において、
前記受信信号が前記送信装置から再送された再送信号か否かを判定する判定部と、
前記判定部において前記受信信号が前記再送信号と判定されたとき前記受信信号を増幅し、前記受信信号が前記再送信号でないと判定されたとき前記受信信号を増幅しない増幅部と
を備えることを特徴とする無線中継装置。
【請求項２】
前記判定部は前記受信装置から送信された再送制御情報に基づいて判定する請求項１記載の無線中継装置。
【請求項３】
前記判定部は、前記再送制御情報がＡＣＫまたはＤＴＸを示すとき、前記受信信号は前記再送信号でないと判定することを特徴とする請求項２記載の無線中継装置。
【請求項４】
前記判定部は、前記再送制御情報がＮＡＣＫを示すとき、前記受信信号を前記再送信号と判定することを特徴とする請求項２記載の無線中継装置。
【請求項５】
前記判定部は、前記再送制御情報がＮＡＣＫと判定した回数をカウントするカウント部を備え、
前記増幅部は、前記カウント部が閾値を超えたときに前記受信信号を増幅することを特徴とする請求項２記載の無線中継装置。
【請求項６】
前記判定部は、複数の前記受信装置から送信された複数の前記再送制御情報を一定期間内に入力し、
前記増幅部は、前記複数の再送制御情報のうち１つでもＮＡＣＫを示す前記再送制御情報を受信したと判定したとき、前記受信信号を増幅することを特徴とする請求項２記載の無線中継装置。
【請求項７】
前記判定部は、複数の前記受信装置から送信された複数の前記再送制御情報を一定期間内に入力し、
前記増幅部は、入力した全前記再送制御情報に対するＮＡＣＫを示す前記再送制御情報の割合が閾値よりも多いとき、前記受信信号を増幅することを特徴とする請求項２記載の無線中継装置。
【請求項８】
送信装置からの受信信号を受信装置に送信する無線中継装置における無線中継方法であって、
前記受信信号が前記送信装置から再送された再送信号か否かを判定し、
前記受信信号が前記再送信号と判定されたとき前記受信信号を増幅し、前記受信信号が前記再送信号でないと判定されたとき前記受信信号を増幅しない
ことを特徴とする無線中継方法。
【請求項９】
送信装置と、無線中継装置と、受信装置とを備える無線通信システムにおいて、
前記送信装置は、送信信号を送信する送信部を備え、
前記無線中継装置は、
前記送信装置から送信された送信信号を受信し、前記送信信号が前記送信装置から再送された再送信号か否かを判定する判定部と、
前記判定部において前記送信信号が前記再送信号と判定されたとき前記送信信号を増幅し、前記送信信号が前記再送信号でないと判定されたとき前記送信信号を増幅しない増幅部とを備え、
前記受信装置は、前記送信信号を受信する受信部を備えることを特徴とする無線通信システム。
【発明の詳細な説明】
【技術分野】
【０００１】
本発明は、無線中継装置、無線中継方法、及び無線通信システムに関する。
【背景技術】
【０００２】
従来から、無線中継装置または中継局（RS: Relay Station）を用いた無線通信システムがある。無線中継装置を用いることで、例えばセル端付近の端末装置（UE: User Equipment）に対してスループット等を向上させることができる。
【０００３】
無線中継装置の中継方式として、ＡＦ（Amplify and Forward）方式とＤＦ（Decode and Forward）方式の２つの種類が知られている（例えば、以下の非特許文献１）。
【０００４】
ＡＦ方式において無線中継装置は、基地局装置（BS: Base Station）または端末装置から受信した信号を増幅してそれぞれ端末装置または基地局装置に送信する。また、ＤＦ方式において無線中継装置は、基地局装置または端末装置から受信した信号を復調及び復号し、誤りがあれば誤り訂正等を行い、再度符号化及び変調を行い、その後増幅してそれぞれ端末装置または基地局装置に送信する。
【０００５】
なお、無線中継装置に関する従来技術は以下に示す特許文献にも開示されている。  
【先行技術文献】
【非特許文献】
【０００６】
【非特許文献１】3GPP R1-090243 "Cell Edge Performance for Amplifier and Forward vs. Decode and Forward Relays", Nokia Siemens Network, Nokia
【特許文献】
【０００７】
【特許文献１】特開２００８‐１１８４９９号公報
【発明の概要】
【発明が解決しようとする課題】
【０００８】
しかし、従来の無線中継装置は、ＡＦ方式またはＤＦ方式に関わらず、受信した信号を増幅して送信する。無線中継装置は電力増幅を行うため、無線中継装置の消費電力が増大する。
【０００９】
また、ＤＦ方式において無線中継装置は復調等を行うために、ＡＦ方式と比較して処理に遅延が生じる。
【００１０】
そこで、本発明の一目的は、無線中継装置の消費電力を削減するようにした無線中継装置、無線中継方法、及び無線通信システムを提供することにある。
【００１１】
また、本発明の他の目的は、処理遅延の発生を抑えるようにした無線中継装置、無線中継方法、及び無線通信システムを提供することにある。
【課題を解決するための手段】
【００１２】
一態様によれば、送信装置からの受信信号を受信装置に送信する無線中継装置において、前記受信信号が前記送信装置から新規に送信された信号か再送信号かを判定する判定部と、前記判定部で前記再送信号と判定されたとき、前記受信信号を増幅する増幅部とを備える。
【発明の効果】
【００１３】
無線中継装置の消費電力を削減するようにした無線中継装置、無線中継方法、及び無線通信システムを提供することができる。また、処理遅延の発生を抑えるようにした無線中継装置、無線中継方法、及び無線通信システムを提供することができる。
【図面の簡単な説明】
【００１４】
【図１】図１は無線通信システムの構成例を示す図である。
【図２】図２は無線中継装置の構成例を示す図である。
【図３】図３は端末装置の構成例を示す図である。
【図４】図４は基地局装置の構成例を示す図である。
【図５】図５は動作例を示すシーケンス図である。
【図６】図６は動作例を示すフローチャートである。
【図７】図７は基地局装置の他の構成例を示す図である。
【図８】図８は端末装置の他の構成例を示す図である。
【図９】図９は動作例を示すシーケンス図である。
【図１０】図１０は動作例を示すフローチャートである。
【図１１】図１１は動作例を示すシーケンス図である。
【図１２】図１２は動作例を示すフローチャートである。
【図１３】図１３は動作例を示すシーケンス図である。
【図１４】図１４は動作例を示すフローチャートである。
【図１５】図１５は無線中継装置の他の構成例を示す図である。
【発明を実施するための形態】
【００１５】
本発明を実施するための形態について以下説明する。
【００１６】
＜第１の実施例＞
第１の実施例について説明する。図１は無線通信システム１の構成例を示す図である。無線通信システム１は、無線基地局装置（ＢＴＳ）（以下、基地局）１０と、無線中継装置（以下、中継局）２０と、端末装置（以下、端末）４０‐１，４０‐２を備える。
【００１７】
基地局１０は端末４０‐１，４０‐２と無線通信を行う。図１の例では、基地局１０は中継局２０を介して端末４０‐１と無線通信を行う。無線通信システム１は、中継局２０が配置されることにより、基地局１０の無線通信可能範囲（またはセル範囲）のカバレッジを拡大させることができる。また、無線通信システム１は、中継局２０により無線信号が増幅されるため、端末４０‐１または基地局１０において受信される信号のスループットを向上させることができる。
【００１８】
図２は中継局２０の構成例を示す図である。中継局２０は、受信アンテナ２１と、チャネル推定部２２と、制御信号復号部２３と、ＡＣＫ／ＮＡＣＫ／ＤＴＸ判定部（以下、判定部）２４と、増幅判定部２５と、アンプ２６と、送信アンテナ２７を備える。
【００１９】
受信アンテナ２１は、基地局１０または端末４０から送信された信号を受信する。
【００２０】
チャネル推定部２２は、受信信号のうちＲＳ信号（または参照信号）に基づいて、基地局１０と中継局２０、または中継局２０と端末４０の伝搬路においてチャネル推定を行う。チャネル推定部２２は、チャネル推定値を制御信号復号部２３に出力する。
【００２１】
制御信号復号部２３は、受信信号のうち制御信号を復調、及び復号する。制御信号復号部２３は、予め基地局１０より受信したスケジューリング情報を保持し、当該スケジューリング情報に基づいて受信信号のうち制御信号を復号等する。なお、制御信号復号部２３は、上りＲＳ信号（端末４０から基地局１０へのＲＳ信号）に対するチャネル推定値に基づいて、上り制御信号を復号等する。また、制御信号復号部２３は、下りＲＳ信号（基地局１０から端末４０へのＲＳ信号）に対するチャネル推定値に基づいて、下り制御信号を復号等する。制御信号復号部２３は、復号等した制御信号を判定部２４に出力する。
【００２２】
判定部２４は、復号等した制御信号に基づいて、制御信号に含まれる再送制御情報がＡＣＫ（Acknowledgment）、またはＮＡＣＫ（Negative Acknowledgment）、或いはＤＴＸ（discontinuous transmission）か、を判定する。ＡＣＫは、例えば、端末４０または基地局１０がそれぞれ基地局または端末４０から送信されたデータ信号を誤りなく受信できたことを示す信号である。ＮＡＣＫは、例えば、端末４０または基地局１０がそれぞれ基地局１０または端末４０から送信されたデータ信号を誤って受信したことを示す信号である。ＤＴＸは、例えば、端末４０または基地局１０がデータ信号等を送信しない無送信であることを示す。判定部２４は、このように再送制御情報の内容を判定し、判定結果を増幅判定部２５に出力する。  
【００２３】
増幅判定部２５は、判定部２４からの判定結果がＮＡＣＫの場合、当該ＮＡＣＫによる再送信号が中継されるときにアンプ２６により増幅されるように、アンプ２６に増幅指示信号を出力する。中継局２０がＮＡＣＫを受信後、再送信号が中継局２０に到達するまでの時間は、例えばＴ＝４ＴＴＩ（２ｍｓ）程度要する。一方、中継局２０内部の処理遅延は高々数１００ｍｓ程度である。よって、再送信号が送信されるまでに時間的な余裕が生じる。そこで、増幅判定部２５は、ＮＡＣＫの判定結果を入力後、増幅指示信号をアンプ２６に出力する。アンプ２６は一定時間τ経過するまでオンになり、再送データ信号を増幅する。アンプ２６は一定時間τ経過後、再びオフになり、中継するデータ信号や制御信号を増幅させることなく出力する。なお、増幅判定部２５は、判定部２４からの判定結果を入力することにより、対応する次のデータ信号が新規データ信号か再送データ信号かを検出することができるため、データ信号が新規か再送かを検出する検出部と言い換えることもできる。
【００２４】
アンプ２６は、増幅判定部２５からの増幅指示信号を受信すると、受信アンテナ２１で受信した受信信号を増幅する。例えば、アンプ２６は増幅指示信号を入力後一定期間τ、オンになり中継される信号を増幅する。アンプ２６は、増幅指示信号を受信しない場合、受信信号を増幅しないてそのまま送信アンテナ２７に出力する。
【００２５】
送信アンテナ２７は、アンプ２６から出力された受信信号を端末４０または基地局１０に送信する。
【００２６】
図３は端末４０の構成例を示す図である。端末４０は、受信アンテナ４１と、制御信号処理部４２と、データ処理部４３と、誤り検出部４４と、再送制御情報生成部４５と、再送制御情報処理部４６と、送信アンテナ４７と、ＲＳ信号生成部４８と、無線送信部４９を備える。
【００２７】
受信アンテナ４１は、中継局２０から送信された送信信号を受信する。
【００２８】
制御信号処理部４２は、予め受信、保持したスケジューリング情報に基づいて、受信信号のうち制御信号に対して復調、復号等の処理を行う。制御信号処理部４２は、処理後の制御信号をデータ処理部４３に出力する。
【００２９】
データ処理部４３は、制御信号処理部４２から出力された制御信号に基づいて、中継局２０を介して基地局１０からの受信信号のうちデータ信号に対して復調、復号等の処理を行う。制御信号には、スケジューリング情報や、復調方式、復号化方式等の関する情報が含まれ、データ処理部４３はこれらの情報に基づいてデータ信号に対する処理を行う。
【００３０】
誤り検出部４４は、データ処理部４３から出力されたデータ信号の誤りの有無を検出する。誤り検出部４４は、検出結果を再送制御情報生成部４５に出力する。
【００３１】
再送制御情報生成部４５は、誤り検出部４４からの検出結果に基づいて、再送制御情報を生成する。再送制御情報生成部４５は、例えば、誤り検出部４４から誤りなしの検出結果を得たとき再送制御情報としてＡＣＫを生成し、誤りありの検出結果を得たとき再送制御情報としてＮＡＣＫを生成する。
【００３２】
再送制御情報処理部４６は、再送制御情報生成部４５から出力された再送制御情報を変調、符号化等の処理を行い、制御信号として無線送信部４９に出力する。
【００３３】
ＲＳ信号生成部４８は、ＲＳ信号を生成し、無線送信部４９に出力する。
【００３４】
無線送信部４９は、ＲＳ信号と制御信号とを、例えば所定の送信電力により送信されるよう処理を行い、送信アンテナ４７に出力する。
【００３５】
送信アンテナ４７は、中継局２０に制御信号とＲＳ信号とを送信する。
【００３６】
図４は基地局１０の構成例を示す図である。基地局１０は、制御信号生成部１１と、制御信号処理部１２と、データ処理部１３と、無線送信部１４と、送信アンテナ１５と、受信アンテナ１６と、再送制御情報処理部１７と、ＲＳ信号生成部１８とを備える。
【００３７】
制御信号生成部１１は、スケジューリング情報等を含む制御信号を生成する。
【００３８】
制御信号処理部１２は、制御信号に対して符号化、変調等の処理を行い、無線送信部１４に出力する。
【００３９】
データ処理部１３は、データ信号に対して符号化、変調等の処理を行い、無線送信部１４に出力する。なお、データ処理部１３は、データ信号を内部のメモリに記憶し、再送制御情報処理部１７からＮＡＣＫを含む再送制御情報を入力したとき、メモリに記憶されたデータ信号を無線送信部１４に出力する。一方、データ処理部１３は、再送制御処理部１７からＡＣＫを含む再送制御情報を入力したとき、メモリに記憶されたデータ信号をクリアする。
【００４０】
無線送信部１４は、制御信号とデータ信号とを、例えば所定の送信電力により送信されるよう処理を行い、送信アンテナ１５に出力する。制御信号は、例えばデータ信号に先立って送信される。
【００４１】
送信アンテナ１５は、中継局２０に制御信号とデータ信号とを送信する。
【００４２】
受信アンテナ１６は、中継局２０を介して端末４０から送信された制御信号を受信する。
【００４３】
再送制御情報処理部１７は、制御信号に対して復調、復号化等の処理を行い、制御信号に含まれる再送制御情報をデータ処理部１３に出力する。
【００４４】
ＲＳ信号生成部１８は、ＲＳ信号を生成し、無線送信部１４に出力する。
【００４５】
次に動作を説明する。図５は処理の例を示すシーケンス図であり、上り方向にＮＡＣＫ、下り方向に再送データ信号がそれぞれ送信される例を示す。端末（ＵＥ＃１）４０は、中継局（ＲＳ）２０を介して、基地局（ＢＴＳ）１０からデータ信号を受信する。端末４０の誤り検出部４４は受信したデータ信号の誤りを検出し、端末４０は再送制御情報としてＮＡＣＫを送信する（Ｓ１０）。
【００４６】
中継局２０は、ＮＡＣＫを受信すると、当該ＮＡＣＫを中継し、基地局１０に送信する（Ｓ１１）。このとき、中継局２０は、ＮＡＣＫに対する再送データ信号が基地局１０から再送されるまでの時間を利用して、再送時に再送データ信号が増幅されるように、アンプ２６をオンにする等の処理が行われる。
【００４７】
次いで、基地局１０は、ＮＡＣＫを受信すると、当該ＮＡＣＫに対応するデータ信号を再送する（Ｓ１２）。
【００４８】
中継局２０は、再送データ信号を増幅して端末４０に送信する（Ｓ１３）。端末４０は、増幅された再送データ信号を受信するため、誤りなく受信できる確率が高くなる。
【００４９】
図６は中継局２０における処理の例を示すフローチャートである。図６の例は、再送信号が下り方向のみならず、上り方向に送信される場合の例も含む。
【００５０】
中継局２０は、処理が開始される（Ｓ２０）と、上り信号（端末４０から基地局１０の方向への送信信号）または下り信号（基地局１０から端末４０への送信信号）の到来を待つ（Ｓ２１）。そして、中継局２０は、上りまたは下り方向の送信信号を受信すると、制御信号復号部２３は制御信号のみ復調及び復号する（Ｓ２２）。
【００５１】
次いで、判定部２４は、制御信号復号部２３から制御信号を入力し、制御信号に基づいて三値判定を行う（Ｓ２３）。
【００５２】
中継局２０は、三値判定の結果、制御信号に再送制御情報としてＮＡＣＫが含まれているとき（Ｓ２４でＹｅｓ）、ＮＡＣＫに対する再送データ信号を増幅する（Ｓ２５）。例えば、増幅判定部２５はＮＡＣＫの判定結果を得ると、増幅指示信号をアンプ２６に出力する。アンプ２６は増幅指示信号に基づいて、例えば一定期間τオンになり下り再送データ信号を増幅する。アンプ２６は、例えば増幅後、一定期間τ経過するとオフとなる。
【００５３】
そして、中継局２０は一連の処理を終了する（Ｓ２６）。増幅されたデータ信号を受信した端末４０は、当該データ信号を誤りなく受信して、ＡＣＫを送信する確率が高くなる。
【００５４】
一方、中継局２０は、三値判定の結果、ＮＡＣＫ信号ではないとき（Ｓ２４でＮｏ）、アンプ２６をオンにすることなく一連の処理を終了する（Ｓ２７）。
【００５５】
図６の例は、ＮＡＣＫに対する再送データ信号が上り方向に送信される場合の例も含む。この場合、基地局１０は、端末４０から送信されたデータ信号に対して誤り判定を行い、誤って受信した場合にＮＡＣＫを端末４０に送信する。端末４０は、ＮＡＣＫを受信すると、データ信号を再送する。かかる場合の中継装置２０の構成例は、例えば図２に示される。基地局１０と端末４０の構成例はそれぞれ図７と図８に示される。
【００５６】
基地局１０は、さらに、データ処理部１０１と、誤り検出部１０２と、再送制御情報生成部１０３と、再送制御情報処理部１０４と、ＲＳ信号生成部１０５と、無線送信部１０６とを備える。
【００５７】
データ処理部１０１は、中継局２０を介して端末４０から受信した上りデータ信号に対して復調、復号等の処理を行う。
【００５８】
誤り検出部１０２は、受信したデータ信号の誤りの有無を検出し、検出結果を再送制御情報生成部１０３に出力する。
【００５９】
再送制御情報生成部１０３は、誤り検出結果に基づいて再送制御情報を生成する。再送制御情報処理部１０４は、再送制御情報に対して符号化等を行い、制御信号として、無線送信部１０６に出力する。
【００６０】
なお、制御信号生成部１３は上り方向のスケジューリング情報等を含む制御信号を生成する。
【００６１】
また、ＲＳ信号生成部１０５は、ＲＳ信号を生成し、無線送信部１０６に出力する。
【００６２】
無線送信部１０６は、ＲＳ信号と制御信号とを、例えば所定の送信電力により送信されるよう処理を行い、送信アンテナ１５を介して、端末４０に出力する。
【００６３】
一方、端末４０は、さらに、再送制御情報処理部４０１と、データ処理部４０２と、無線送信部４０３と、ＲＳ信号生成部４０４とを備える。
【００６４】
再送制御情報処理部４０１は、基地局１０から送信された再送制御情報に対して、復調等の処理を行う。
【００６５】
データ処理部４０２は、例えば、再送制御情報処理部４０１から出力された再送制御情報がＮＡＣＫの場合、メモリに記憶したデータ信号に対して符号化等の処理を行い、ＡＣＫの場合、メモリに記憶したデータ信号をクリアする。なお、データ処理部４０２は、制御信号処理部４２を介して受信した制御信号に含まれる符号化率等に基づいて符号化、変調等の処理を行う。
【００６６】
ＲＳ信号生成部４０４は、ＲＳ信号を生成する。
【００６７】
無線送信部４０３は、データ処理部４０２とＲＳ信号生成部４０とからそれぞれ出力された再送データ信号とＲＳ信号とに対して増幅等の処理を行い、アンテナ４７を介して基地局１０に再送データ信号とＲＳ信号とを送信する。
【００６８】
このように本第１の実施例においては、中継局２０は、再送データ信号について増幅し、それ以外のデータ信号及び制御信号については増幅しないようにしている。従って、常に増幅して中継する場合と比較して、中継局２０は消費電力の削減を図ることができる。また、中継局２０は、制御信号に対して復調等の処理を行い、データ信号については復調等の処理を行わないため、ＤＦ方式と比較して処理の遅延を抑えることができる。さらに、ＮＡＣＫを送信した端末４０は中継局２０により増幅された再送信号を受信するため、例えばセルエッジに位置する端末４０のスループットを向上させることもできる。
【００６９】
＜第２の実施例＞
次に第２の実施例について説明する。第２の実施例は、ＮＡＣＫの回数に応じて増幅電力を可変とする例である。図９は第２の実施例におけるシーケンス例を示す図である。
【００７０】
端末（ＵＥ＃１）４０‐１は、データ信号の誤りを検出したため、１回目のＮＡＣＫを送信する（Ｓ３０）。中継局２０は端末（ＵＥ＃１）４０からのＮＡＣＫを中継して基地局１０に送信する（Ｓ３１）。
【００７１】
一方、端末（ＵＥ＃２）４０‐２もデータ信号の誤りを検出し、３回目のＮＡＣＫを送信する（Ｓ３２）。中継局２０は、端末（ＵＥ＃２）４０‐２からのＮＡＣＫを中継して基地局１０に送信する（Ｓ３３）。
【００７２】
基地局１０は、それぞれのＮＡＣＫ信号に対して再送データ信号を中継局２０に送信する（Ｓ３４，Ｓ３６）。
【００７３】
次いで、中継局２０は、端末（ＵＥ＃１）４０‐１への１回目の再送データ信号を中継するが、ＮＡＣＫの受信回数が閾値（例えば３回）より少ないため、１回目の再送データ信号を増幅しないでそのまま送信する（Ｓ３５）。
【００７４】
一方、中継局２０は、端末（ＵＥ＃２）４０‐２への３回目の再送データ信号を中継するが、この場合ＮＡＣＫの受信回数は閾値以上のため、３回目の再送データ信号を増幅して送信する（Ｓ３７）。
【００７５】
図９に示す閾値の例は一例であり２回または４回以上の閾値でもよい。また、第１の実施例と同様に、ＮＡＣＫ等の再送制御情報が基地局１０から端末４０に送信され、再送データ信号が端末４０から基地局１０に送信される場合でも同様に実施可能である。この場合の中継局２０の構成例は図２、基地局１０と端末４０の構成例はそれぞれ図７と図８に示される。
【００７６】
図１０は、第２の実施例における中継局２０の処理の例を示すフローチャートである。再送データ信号が上りと下り方向の双方とも送信される場合も含まれる。
【００７７】
中継局２０は処理を開始すると（Ｓ４０）、複数の端末４０からの上り信号、または基地局１０からの下り信号を受信する（Ｓ４１）。
【００７８】
次いで、中継局２０は受信した受信信号のうち制御信号を復調、復号する（Ｓ４２）。例えば、制御信号復号部２３で復調等を行う。
【００７９】
次いで、中継局２０は、各制御信号に基づいて、端末４０ごとに三値判定を行う（Ｓ４３）。例えば、判定部２４が三値判定を行う。
【００８０】
次いで、中継局２０は、各端末４０からのＮＡＣＫ回数をカウントする（Ｓ４４）。例えば、増幅判定部２５は、判定部２４からのＮＡＣＫの判定結果と、制御信号復号部２３からのスケジューリング情報等とに基づいて、端末４０ごとにＮＡＣＫ回数をカウントする。例えば、スケジューリング情報には、各端末４０に割り当てられたリソース情報（時間領域と周波数帯域など）が含まれている。増幅判定部２５は、スケジューリング情報に含まれるリソースと、受信した制御信号の受信周波数や受信タイミング等とに基づいて、複数の端末４０のうちどの端末４０が送信した制御信号かを判定できる。増幅判定部２５は、例えば、ＮＡＣＫの回数をメモリ等に記憶して判定する。
【００８１】
次いで、中継局２０は、ある端末４０のＮＡＣＫの受信回数が閾値より多いか否かを判定する（Ｓ４５）。例えば、増幅判定部２５は、閾値を予め保持し、受信した各端末４０のＮＡＣＫ回数と閾値とを比較して判定できる。
【００８２】
中継局２０は、ある端末４０のＮＡＣＫの受信回数が閾値よりも多いとき（Ｓ４５でＹｅｓ）、当該ＮＡＣＫ信号に対応する再送データ信号を増幅する（Ｓ４６）。例えば、増幅判定部２５が増幅指示信号をアンプ２６に出力してアンプ２６がオンになり、再送データ信号を増幅する。このとき、中継局２０は、ＮＡＣＫの受信回数に応じてアンプ２６の増幅電力（または増幅率）を可変にすることもできる。例えば、増幅判定部２５は、ＮＡＣＫ回数に応じた増幅電力値（または増幅率）を増幅指示信号としてアンプ２６に出力し、アンプ２６は増幅電力値に従って再送データ信号を増幅する。
【００８３】
次いで、中継局２０は一連の処理を終了する（Ｓ４７）。
【００８４】
一方、中継局２０は、ある端末４０のＮＡＣＫの受信回数が閾値以下のとき（Ｓ４５でＮｏ）、アンプ２６をオンにすることなく、一連の処理を終了する（Ｓ４８）。
【００８５】
このように本第２の実施例において中継局２０は、ＮＡＣＫの受信回数に応じてアンプ２６の増幅をオンまたはオフにし、さらに増幅電力も可変にすることができるため、第１の実施例と比較して、さらに端末４０または基地局１０は再送データ信号を誤りなく受信し、ＡＣＫ信号を送信する確率が高くなる。
【００８６】
＜第３の実施例＞
次に第３の実施例を説明する。第３の実施例は、中継局２０が複数の端末４０から再送制御情報を受信する場合、三値判定から総合的に判断して増幅するか否かを決定する例である。
【００８７】
図１１は本第３の実施例におけるシーケンス例を示す図である。複数の端末（ＵＥ＃１〜ＵＥ＃３）４０‐１〜４０‐３は、同じタイミング（あるいは所定期間内）で、それぞれＡＣＫ，ＮＡＣＫ，ＡＣＫの各制御信号を送信する（Ｓ５０，Ｓ５２，Ｓ５４）。
【００８８】
次いで、中継局２０は、各端末（ＵＥ＃１〜ＵＥ＃３）４０‐１〜４０‐３から送信されたＡＣＫ、ＮＡＣＫ等の各信号を中継し、基地局１０に送信する（Ｓ５１，Ｓ５３，Ｓ５５）。
【００８９】
次いで、基地局１０は、ＡＣＫを送信した端末（ＵＥ＃１，ＵＥ＃３）４０‐１，４０‐３に新規データ信号を送信し（Ｓ５６，Ｓ６０）、ＮＡＣＫを送信した端末（ＵＥ＃２）４０‐２に再送データ信号を送信する（Ｓ５８）。
【００９０】
次いで、中継局２０は、新規データ信号と再送データ信号とを中継する（Ｓ５７，Ｓ５９，Ｓ６１）。中継局２０は、同じタイミングで再送制御情報を中継したときに（Ｓ５１，Ｓ５３，Ｓ５５）、１つでもＮＡＣＫが含まれるため、対応する次の下りデータ信号のすべてを増幅する。
【００９１】
各端末（ＵＥ＃１〜＃ＵＥ３）４０‐１〜４０‐３は、増幅されたデータ信号を新規、再送に関わらず受信する。
【００９２】
図１１に示す例は、再送制御情報が上り方向で、再送データ信号等が下り方向の例であるが、第１の実施例と同様に、その逆方向の場合でも実施可能である。この場合の中継局２０の構成例は図２、基地局１０と端末４０の構成例は、それぞれ図７と図８に示される。
【００９３】
図１２は中継局２０における処理の例を示すフローチャートである。再送データ信号が上り及び下り方向に送信される場合を含む。
【００９４】
中継局２０は処理を開始すると（Ｓ７０）、第２の実施例と同様にＳ４１〜Ｓ４４の処理を行う。
【００９５】
次いで、中継局２０は同じタイミング（あるいは所定期間）で受信した再送制御情報のうち、１つでもＮＡＣＫが含まれていると（Ｓ７１でＹｅｓ）、次の下りデータ信号を増幅し（Ｓ４６）、処理を終了する（Ｓ７２）。一方、中継局２０はすべてＮＡＣＫのとき（Ｓ７１でＮｏ）、下りデータ信号を増幅することなく処理を終了する（Ｓ７３）。
【００９６】
例えば、中継局２０の増幅判定部２５はある期間内に判定部２４から複数の再送制御情報を入力したとき、その再送制御情報の中に１つのＮＡＣＫが含まれていると、増幅指示信号をアンプ２６に出力する。これにより、アンプ２６は一定期間τオンになり、複数の再送制御情報に対応する次の下りデータ信号のすべてを増幅できる。一方、増幅判定部２５はある期間内に複数の再送制御情報を入力し、全てＡＣＫのとき、増幅指示信号を出力しないようにする。この場合、アンプ２６はオフになり、中継局２０はデータ信号等を増幅することなく中継できる。増幅後、一定期間τ経過後にアンプ２６がオフになるのは第１及び第２の実施例と同様である。
【００９７】
図１３は本第３の実施例の他の例を示すシーケンス図である。中継局２０は、同じタイミング（または所定期間）で再送制御情報を受信するが、この例では、同じタイミング（またはある期間）で受信した再送制御情報のうちＮＡＣＫの割合が閾値より多いときに、対応する次の下りデータ信号をすべて増幅する（Ｓ８０〜Ｓ８２）。再送制御情報が下り方向で、再送データ信号等が上り方向の場合も、第１の実施例等と同様に実施できる。
【００９８】
図１４は中継局２０における処理の例を示すフローチャートである。中継局２０は処理を開始すると（Ｓ９０）、第２の実施例と同様にＳ４１〜Ｓ４４の処理を行う。
【００９９】
次いで、中継局２０は、受信したＮＡＣＫの割合と閾値とを比較する（Ｓ９１）。例えば、増幅判定部２５はある期間、受信した全再送制御情報の数と、ＮＡＣＫの数とを保持し、全再送制御情報の数に対するＮＡＣＫの割合を計算する。そして、増幅判定部２５は予め保持した閾値と比較することで処理できる。
【０１００】
中継局２０は、ＮＡＣＫの割合が閾値よりも大きいとき（Ｓ９１でＹｅｓ）、対応する次のデータ信号をすべて増幅する（Ｓ４６）。例えば、増幅判定部２５はＮＡＣＫの割合が閾値よりも大きいとき、増幅指示信号をアンプ２６に出力する。アンプ２６は一定期間τオンになり、ＮＡＣＫ等に対する再送データ信号等を増幅して出力する。
【０１０１】
そして、中継局２０は一連の処理を終了する（Ｓ９２）。
【０１０２】
一方、中継局２０はＮＡＣＫの割合が閾値以下のとき（Ｓ９１でＮｏ）、データ信号等を増幅することなく一連の処理を終了する（Ｓ９３）。
【０１０３】
このように、本第３の実施例における中継局２０は、複数の端末４０から同じタイミング（または一定期間）で再送制御情報を受信したときでも、対応するデータ信号に対して復調等を行うことがないため、処理遅延をＤＦ方式と比較して抑えることができる。
【０１０４】
＜他の実施例＞
次に他の実施例について説明する。図１５は中継局２０の他の構成例を示す図である。中継局２０は、さらに、データ信号復号部２８と、符号化部２９と、変調部３０と、構成部３１と、ＲＳ信号生成部３２とを備える。
【０１０５】
データ信号復号部２８は、制御信号復号部２３からの制御信号に基づいて、データ信号を復号、変調等を行い、さらに誤りがあれば誤り訂正を行う。
【０１０６】
符号化部２９は、制御信号復号部２３からの制御信号とデータ信号復号部２８からのデータ信号とを符号化する。
【０１０７】
変調部３０は、符号化部２９からの出力を変調する。
【０１０８】
構成部３１は、変調部３０から出力されたデータ信号と制御信号、さらにＲＳ信号生成部３２から出力されたＲＳ信号（参照信号）をフレームとし、当該フレームを出力する。
【０１０９】
図１５に示す中継局２０も第１の実施例と同様に、ＮＡＣＫを検出したとき、対応する再送データ信号を増幅し、それ以外のときは増幅しない。従って、中継局２０は常にデータ信号等を増幅する場合と比較して消費電力の削減を図ることができる。
【０１１０】
また、本例の中継局２０は第１の実施例の中継局２０と比較して、誤り訂正を行っているため、受信側（端末４０または基地局１０）の受信特性が向上する。
【０１１１】
なお、本例の中継局２０も、ＮＡＣＫ回数に応じて電力増幅を可変にしたり（第２の実施例）、複数の再送制御情報を受信したときにいつでもＮＡＣＫがあれば増幅、またはＮＡＣＫの割合が一定の場合に増幅（第３の実施例）することもできる。  
【０１１２】
第１の実施例等では、増幅判定部２５は判定部２４からＮＡＣＫ等の判定結果を得たときに増幅指示信号を出力するとして説明した。例えば、増幅判定部２５は、ＮＡＣＫ等の判定結果を得たときから所定時間κ（＜τ）経過後に増幅指示信号をアンプ２５に出力するようにしてもよい。アンプ２５は増幅指示信号を受信後、ＮＡＣＫ等に対応する再送データ信号を増幅すればよい。その後、アンプ２５はオフになり、受信信号を増幅することなく出力する。
【０１１３】
また、第１の実施例等では、アンプ２６が増幅指示信号を入力後一定期間オンになり、受信信号を増幅するとして説明した。例えば、増幅判定部２５は制御信号復号部２３から制御信号を入力し、制御信号に含まれるスケジューリング情報等に基づいて、どの端末４０または基地局１０からのデータ信号かを判別することで、受信信号がＮＡＣＫに対応する再送データ信号か否かを判別することもできる。増幅判定部２５は、再送データ信号と判別した場合、第１の実施例と同様に増幅指示信号をアンプ２６に出力する。アンプ２６は増幅指示信号により、再送信号を増幅することができる。
【０１１４】
以上、まとめると付記のようになる。
【０１１５】
（付記１）
送信装置からの受信信号を受信装置に送信する無線中継装置において、
前記受信信号が前記送信装置から再送された再送信号か否かを判定する判定部と、
前記判定部において前記受信信号が前記再送信号と判定されたとき前記受信信号を増幅し、前記受信信号が前記再送信号でないと判定されたとき前記受信信号を増幅しない増幅部と
を備えることを特徴とする無線中継装置。
【０１１６】
（付記２）
前記判定部は前記受信装置から送信された再送制御情報に基づいて判定する付記１記載の無線中継装置。
【０１１７】
（付記３）
前記判定部は、前記再送制御情報がＡＣＫまたはＤＴＸを示すとき、前記受信信号は前記再送信号でないと判定することを特徴とする付記２記載の無線中継装置。
【０１１８】
（付記４）
前記判定部は、前記再送制御情報がＮＡＣＫを示すとき、前記受信信号を前記再送信号と判定することを特徴とする付記２記載の無線中継装置。
【０１１９】
（付記５）
前記判定部は、前記再送制御情報がＮＡＣＫと判定した回数をカウントするカウント部を備え、
前記増幅部は、前記カウント部が閾値を超えたときに前記受信信号を増幅することを特徴とする付記２記載の無線中継装置。
【０１２０】
（付記６）
前記判定部は、複数の前記受信装置から送信された複数の前記再送制御情報を一定期間内に入力し、
前記増幅部は、前記複数の再送制御情報のうち１つでもＮＡＣＫを示す前記再送制御情報を受信したと判定したとき、前記受信信号を増幅することを特徴とする付記記載の無線中継装置。
【０１２１】
（付記７）
前記判定部は、複数の前記受信装置から送信された複数の前記再送制御情報を一定期間内に入力し、
前記増幅部は、入力した全前記再送制御情報に対するＮＡＣＫを示す前記再送制御情報の割合が閾値よりも多いとき、前記受信信号を増幅することを特徴とする付記２記載の無線中継装置。
【０１２２】
（付記８）
前記増幅部は、前記判定部で前記再送信号と判定されたとき、所定期間オンになることで前記受信信号を増幅することを特徴とする付記１記載の無線中継装置。
【０１２３】
（付記９）
前記送信装置は基地局装置、前記受信装置は端末装置であることを特徴とする付記１記載の無線中継装置。
【０１２４】
（付記１０）
前記送信装置は端末装置、前記受信装置は基地局装置であることを特徴とする付記１記載の無線中継装置。
【０１２５】
（付記１１）
送信装置からの受信信号を受信装置に送信する無線中継装置における無線中継方法であって、
前記受信信号が前記送信装置から再送された再送信号か否かを判定し、
前記受信信号が前記再送信号と判定されたとき前記受信信号を増幅し、前記受信信号が前記再送信号でないと判定されたとき前記受信信号を増幅しない
ことを特徴とする無線中継方法。
【０１２６】
（付記１２）
送信装置と、無線中継装置と、受信装置とを備える無線通信システムにおいて、
前記送信装置は、送信信号を送信する送信部を備え、
前記無線中継装置は、
前記送信装置から送信された送信信号を受信し、前記送信信号が前記送信装置から再送された再送信号か否かを判定する判定部と、
前記判定部において前記送信信号が前記再送信号と判定されたとき前記送信信号を増幅し、前記送信信号が前記再送信号でないと判定されたとき前記送信信号を増幅しない増幅部とを備え、
前記受信装置は、前記送信信号を受信する受信部を備えることを特徴とする無線通信システム。
【符号の説明】
【０１２７】
１：無線通信システム                  １０：基地局装置（基地局）
１３：データ処理部                    １７：再送制御情報処理部
２０：無線中継装置（中継局）          ２３：制御信号復号部
２４：ＡＣＫ／ＮＡＣＫ／ＤＴＸ判定部（判定部）
２５：増幅判定部                      ２６：アンプ
４０：端末装置（端末）                ４４：誤り検出部
４５：再送制御情報生成部              １０１：データ処理部
１０２：誤り検出部                    １０３：再送制御情報生成部
４０１：再送制御情報処理部            ４０２：データ処理部
【図１】
2010278957.tif 000003
【図２】
2010278957.tif 000004
【図３】
2010278957.tif 000005
【図４】
2010278957.tif 000006
【図５】
2010278957.tif 000007
【図６】
2010278957.tif 000008
【図７】
2010278957.tif 000009
【図８】
2010278957.tif 000010
【図９】
2010278957.tif 000011
【図１０】
2010278957.tif 000012
【図１１】
2010278957.tif 000013
【図１２】
2010278957.tif 000014
【図１３】
2010278957.tif 000015
【図１４】
2010278957.tif 000016
【図１５】
2010278957.tif 000017